(57)【特許請求の範囲】
【請求項１】
ディスプレイスクリーンを含む第１の部分及び入力デバイスを含む第２の部分と、
前記第１の部分及び前記第２の部分を回転可能に固定する、並びに、前記第１の部分と前記第２の部分との間の回転をもたらすよう多数のヒンジ軸の周りで回転するように構成される、マルチピボットヒンジユニットと、
前記第１の部分と前記第２の部分との間で前記マルチピボットヒンジユニットを集合的に覆う多数のヒンジカバー部分とを含み、
個々のヒンジカバー部分が、対応する個々のヒンジ軸と平行な回転軸の周りで回転し、
前記多数のヒンジカバー部分は、前記マルチピボットヒンジユニットの下に位置する部分が晒されないよう、回転中に第１の個々のヒンジカバー部分の第１の領域が第２の隣接する個々のヒンジカバー部分の第２の領域を越えて滑動し得るように、関節作動させられる、
コンピュータデバイス。
【請求項２】
前記個々のヒンジカバー部分の回転軸は、前記対応する個々のヒンジ軸と同一の広がりを持つ、請求項１に記載のコンピュータデバイス。
【請求項３】
前記マルチピボットヒンジユニットは、前記第２の部分に対する前記第１の部分の回転の程度を制限する回転リミッタを更に含む、請求項１に記載のコンピュータデバイス。
【請求項４】
前記回転リミッタは、多数の回転リミッタを含み、個々の回転リミッタは、個々のヒンジ軸と関連付けられる、請求項３に記載のコンピュータデバイス。
【請求項５】
前記多数の回転リミッタは、前記マルチピボットヒンジユニットに固定される、請求項４に記載のコンピュータデバイス。
【請求項６】
前記多数のヒンジカバー部分は、多数の回転リミッタとして機能する、請求項４に記載のコンピュータデバイス。
【請求項７】
前記マルチピボットヒンジユニットは、第１のマルチピボットヒンジユニット及び第２のマルチピボットヒンジユニットを含み、前記多数のヒンジカバー部分は、第１及び第２の平行なスロットを含み、それぞれのマルチピボットヒンジユニットは、前記スロットを通じて延びる、請求項１に記載のコンピュータデバイス。
【請求項８】
前記多数のヒンジカバー部分は、互いに締結されるが、前記マルチピボットヒンジユニットに締結されない、請求項７に記載のコンピュータデバイス。
【請求項９】
前記多数のヒンジカバー部分は、互いに旋回可能に締結される、請求項７に記載のコンピュータデバイス。
【請求項１０】
前記多数のヒンジカバー部分は、前記第１の部分又は前記第２の部分の一方に締結される、或いは、前記多数のヒンジカバー部分は、前記第１の部分及び前記第２の部分の両方に締結される、請求項７に記載のコンピュータデバイス。
【請求項１１】
前記第１の領域は、前記第１の個々のヒンジカバー部分の凸面の領域を含み、前記第２の領域は、前記第２の隣接する個々のヒンジカバー部分の凹面の領域を含む、請求項１に記載のコンピュータデバイス。
【請求項１２】
前記マルチピボットヒンジユニットは、ラジアスヒンジユニットを含む、請求項７に記載のコンピュータデバイス。
【請求項１３】
前記個々のヒンジカバー部分は、シリンダの部分に近似する、請求項１に記載のコンピュータデバイス。
【請求項１４】
第１の部分及び第２の部分と、
前記第１の部分及び前記第２の部分を回転可能に固定するアルマジロヒンジアセンブリとを含み、該アルマジロヒンジアセンブリは、ヒンジユニットと、前記第１の部分と前記第２の部分との間で前記ヒンジユニットを集合的に覆うヒンジカバーとを含み、該ヒンジカバーは、前記ヒンジユニットが通過するスロットを含む、
コンピュータデバイス。
【発明の詳細な説明】
【発明の概要】
【０００１】
添付の図面は、本文書中で伝えられる着想の実施を例示している。添付の図面と共に後続の記述を参照することによって、例示する実施の構成をより容易に理解し得る。様々な図面中の同等の参照番号は、実現可能な場合にはいつでも、同等の要素を示すために用いられている。更に、各参照番号における最も左側の数字は、参照番号が最初に持ち出される図面及び関連する議論を伝えている。
【図面の簡単な説明】
【０００２】
【図１】本着想の幾つかの実施に従ったアルマジロヒンジ実施例を含む例示的なデバイスの斜視図を示している。
【図２】本着想の幾つかの実施に従ったアルマジロヒンジ実施例を含む例示的なデバイスの斜視図を示している。
【０００３】
【図３】本着想の幾つかの実施に従ったアルマジロヒンジ実施例を含む例示的なデバイスの部分切欠き斜視図を示している。
【０００４】
【図４】本着想の幾つかの実施に従ったアルマジロヒンジ実施例を含む例示的なデバイスの分解者静を示している。
【０００５】
【図５】本着想の幾つかの実施に従ったアルマジロヒンジ実施例の立面図である。
【０００６】
【図６】本着想の幾つかの実施に従ったマルチピボットヒンジ実施例の斜視図である。
【図７】本着想の幾つかの実施に従ったマルチピボットヒンジ実施例の分解斜視図である。
【０００７】
【図８】本発明の幾つかの実施に従ったアルマジロヒンジ実施例を含む例示的なデバイスの図２に類似する部分切欠き斜視図を示している。
【０００８】
【図９】本発明の幾つかの実施に従った図８に示すようなアルマジロヒンジ実施例の断面図である。
【図１０】本発明の幾つかの実施に従った図８に示すようなアルマジロヒンジ実施例の断面図である。
【図１１】本発明の幾つかの実施に従った図８に示すようなアルマジロヒンジ実施例の断面図である。
【図１２】本発明の幾つかの実施に従った図８に示すようなアルマジロヒンジ実施例の断面図である。
【０００９】
【図１３】本発明の幾つかの実施に従ったアルマジロヒンジ実施例の立面図である。
【００１０】
【図１４】本発明の幾つかの実施に従ったアルマジロヒンジ実施例を含む他の例示的なデバイスの部分切欠き斜視図を示している。
【発明を実施するための形態】
【００１１】
本着想は、多軸(multi-axis)又はマルチピボット(multi-pivot)ヒンジを利用してコンピュータデバイス(computing  device)の部分を回転可能に固定する、コンピュータデバイスに関する。本着想は、ヒンジを異物から守り且つ／或いはコンピュータデバイスの使用者が回転中にマルチピボットヒンジによって狭窄されることから守るようマルチピボットヒンジを覆う、関節作動ヒンジカバー部分を提供し得る。
【００１２】
導入的な図１及び２は、「閉塞」(‘closed’)位置におけるコンピュータデバイス１００の実施例を集合的に示している。図１は、コンピュータデバイス１００を正面から示しており、図２は、コンピュータデバイス１００を背面から示している。この実施例において、コンピュータデバイス１００は、アルマジロヒンジアセンブリ１０６(armadillo  hinge  assembly)によって互いに回転可能に固定される第１の部分１０２及び第２の部分１０４を有する。アルマジロヒンジアセンブリの特徴を以下により詳細に記載する。アルマジロヒンジアセンブリは、下に位置するヒンジを少なくとも部分的に隠して保護する剛的な関節作動ヒンジカバーを含み得る。
【００１３】
図３及び４は、「開放」(‘open’)位置におけるコンピュータデバイス１００を集合的に例示している。図３は、部分切欠き斜視図であり、図４は、分解図である。この場合、アルマジロヒンジアセンブリ１０６は、マルチピボットヒンジユニット３０２（この構成では２つのマルチピボットヒンジユニット３０２（１）及び３０２（２））を含む。この実施例では、第１のヒンジクランプ３０４（１）によってマルチピボットヒンジユニット３０２を第１の部分１０２に固定し、第２のヒンジクランプ３０４（２）によってマルチピボットヒンジユニット３０２を第２の部分１０４に固定し得る。ネジ山付きファスナ（図示せず）のような様々な機構によってヒンジクランプ３０４をそれぞれの第１の部分１０２及び第２の部分１０４に固定し得る。アルマジロヒンジアセンブリ１０６は、多数のヒンジカバー部分３０６（この構成では４つのヒンジカバー部分３０６（１）乃至３０６（４））も含み得る。この実施において、個々のヒンジカバー部分は、（例えば、ｙ基準軸と平行な長軸に沿って延びて）概ね細長くあり得る。
【００１４】
第１の部分と第２の部分１０４との間の回転を可能にするよう、アルマジロヒンジアセンブリ１０６を第１の部分１０２及び第２の部分１０４に固定し得る。アルマジロヒンジアセンブリ１０６を図３乃至４に例示するような相対的に恒久的な方法において（例えば、最終消費者によって容易に分離可能であることが意図されない方法において）第１の部分及び第２の部分に固定し得る。代替的に、アルマジロヒンジアセンブリ１０６を相対的に迅速に取付け可能な／取り外し可能な方法において（例えば、最終使用者によって容易に分離可能であることが意図される方法において）第１の部分及び第２の部分に固定し得る。この後者の構成の１つのそのような実施例を図１４に関して以下により詳細に記載する。
【００１５】
コンピュータデバイス１００は、入力要素又はデバイス３０８も含み得る。この場合、入力デバイス３０８は、キーボード３１０として顕現する。他の実施は、他の入力デバイスを利用し得る。この実施例において、コンピュータデバイスは、タッチセンサ方式ディスプレイスクリーンのような、ディスプレイスクリーン３１２も含み得る。コンピュータデバイス１００は、数あるコンポーネント（構成部品）の中でも、プロセッサ３１４、メモリ／記憶装置３１６、及び／又はバッテリ３１８を含み得る。これらの要素を第１の部分１０２及び／又は第２の部分１０４内に位置付け得る。（これらの要素（３０８乃至３１８は、図３にのみ示されており、図４には示されていない。）
【００１６】
この特定の実施において、個々のヒンジカバー部分３０６は、（ｙ基準軸と平行に延びる）シリンダの部分に近似し(approximate)得る。他の例示的なヒンジカバー形状を図１３に関して以下に記載する。図４に関して指し示すように、個々のヒンジカバー部分３０６は、（特にヒンジカバー部分３０６（１）に関して指し示す）概ね凸面の領域４０２及び概ね凹面の領域４０４を定め得る。同様の仕方において、第１の部分１０２は凹面の末端４０６で終端し得るし、第２の部分１０４は凸面の末端４０８で終端し得る（或いは、向きに依存して、逆も同様であり得る）。記載する実施の構造についての追加的な明瞭性をもたらすために、例示的な組立プロセスをこの時点で記載する。
【００１７】
組立中、矢印４１０によって示すように、マルチピボットヒンジユニット３０２を第２の部分１０４に挿入し得る。矢印４１２によって示すように、マルチピボットヒンジユニット３０２をヒンジクランプ３０４（２）で固定し得る。ヒンジカバー部分３０６は、マルチピボットヒンジユニット３０２を受け入れるポート又はスロット４１４（この構成では２つのスロット４１４（１）及び４１４（２））を定め得る。別の言い方をすると、スロット４１４の寸法は、矢印４１０によって示すように、マルチピボットヒンジユニットがヒンジカバー部分３０６のスロットを通過して第２の部分１０４内に至るのを可能にするよう、マルチピボットヒンジユニット３０２の外法寸法と同じ大きさであり或いはマルチピボットヒンジユニット３０２の外法寸法よりも大きい。
【００１８】
矢印４１６によって示すように、ヒンジカバー部分３０６（４）を第２の部分１０４の凸面の末端４０８に対して位置付け得る。矢印４２０によって示すように、ヒンジカバー部分３０６（４）をピン４１８（１）によって固定し得る。ピン４１８（１）は、ヒンジカバー部分３０６（４）がピンの周りで回転するのを許容しながら、第２の部分１０４に対してヒンジカバー部分３０６（４）を保持し得る。
【００１９】
矢印４２２によって示すように、ヒンジカバー部分３０６（３）をヒンジカバー部分３０６（４）と整列させ得る。矢印４２２によって示すように、ピン４１８（２）は、ヒンジカバー部分３０６（３）を保持し得る。第１の部分１０２の凹面の末端４０６がヒンジカバー部分３０６（１）に固定されるまで、このプロセスを繰り返し得る。
【００２０】
基準線４２６によって示すように、上述の実施は個々のヒンジカバー部分３０６の回転軸がマルチピボットヒンジユニット３０２の回転軸（例えば、ピボット又は旋回軸）と平行である構成をもたらし得ることに留意のこと。例示の構成において、回転軸は、マルチピボットヒンジユニット３０２の個々の軸と平行であり且つ同一の広がりを持つ(co-extensive)。この構成において、ヒンジ軸の数及びヒンジカバー部分の数は１対１の方法において概ね対応することに更に留意のこと。しかしながら、そのようなことは当て嵌まらなくてよい。例えば、他の実施は、回転軸の２倍のヒンジカバー部分を有してよい。
【００２１】
この実施において、マルチピボットヒンジユニット３０２は、マルチピボットヒンジユニットの各回転軸の回転の程度を定め得る或いは制限し得る回転リミッタ４２８を含む。例えば、この特定の実施は、各回転軸の回転を５つの回転軸の各々について約３６度に限定して、０度〜１８０度の第１及び第２の部分の全回転をもたらし得る。他の実施は回転リミッタを省略してよく且つ／或いは回転を異なる角度に限定してよい。更に、幾つかの実施において、ヒンジカバー部分３０６は、アルマジロヒンジアセンブリ１０６についての回転制約に寄与してよく且つ／或いはアルマジロヒンジアセンブリ１０６についての回転制約を提供してよい。
【００２２】
図５は、アルマジロヒンジアセンブリ１０６の回転中に互いに越えて滑動し(slide  past)合うようヒンジカバー部分３０６をどのように関節作動させ得るかを例示する、コンピュータデバイス１００の部分の側面図を示している。事例１は、コンピュータデバイスの閉塞又は格納位置と考えられ得る。事例２は、視認又は展開位置と考えられ得る。事例３は、完全開放位置（例えば、この場合には、閉塞位置から１８０度の完全開放位置）と考えられ得る。この回転中、個々のヒンジカバー部分３０６の凸面の領域４０２は、隣接するヒンジカバー部分３０６の凹面の領域４０４に対して回転し得る（例えば、凹面の領域を越えて滑動し得る）。両端のヒンジカバー部分は、第１の部分１０２の凹面の末端４０６及び第２の部分１０４の凸面の末端４０８と類似の関係を有し得る。
【００２３】
この構成は、ヒンジカバー部分３０６が互いに対して回転して、アルマジロヒンジアセンブリ１０６の内面５０２及び外面５０４での差を調整する(accommodate)のを可能にし得ることに更に留意のこと。事例３で、内面５０２及び外面５０４は、概ね等しい長さである。事例２において第１の部分１０２が第２の部分１０４に対して回転させられるとき、内面５０２の長さは減少する（例えば、より短くなる）のに対し、外面５０４の長さは増大する（例えば、より長くなる）。このプロセスは、事例１においてより一層明白になる。よって、中立軸（ＮＡ）は回転中に内面と外面との間に留まるので、ヒンジカバー部分の重なり合って関節作動する性質は、これらの変化する表面寸法が調節されるのを可能にする。別の言い方をすると、ヒンジカバー部分の重なり合って関節作動する性質は、下に位置するヒンジ要素を依然として覆いながら、表面長さのこれらの変化が調節されるのを可能にする。この実施例において、表面長さの変化は、重なり合う凹面及び凸面が互いに越えて滑動し合うことによって調節され得る。
【００２４】
図６及び図７は、図３に関して上で紹介したマルチピボットヒンジユニット３０２の１つの実施についてのより多くの詳細を集合的に示している。他のマルチピボットヒンジの使用が想定されることに留意のこと。
【００２５】
例示の実施において、マルチピボットヒンジユニット３０２は、少なくとも第１及び第２の隣接するオフセットさせられたスタック７０２（積重ね）を含んでよい。例示の構成は、５つのスタック７０２（１）乃至７０２（５）を含むが、より多い又はより少ないスタックが利用されてよい。特定の用途のために望まれることがあるときには、スタックの数を増大させて、マルチピボットヒンジユニット３０２に追加的な抵抗を付加し得る。図７の分解図において最も容易に理解されることがあるように、個々のスタックは、（第１の部分１０４に固定するための（図３を参照））第１の部分要素７０４と、時限リンク要素７０６と、（第２の部分に固定するための（図３を参照））第２の部分要素７０８とを含んでよい。図面の紙面の可読性を向上させるために、最初の２つのスタック７０２（１）及び７０２（２）の要素のみを指し示している。しかしながら、スタックは、概して、交互の方法において何度も繰り返す。よって、スタック７０２（３）及び７０２（５）は、７０２（１）に類似し、スタック７０２（４）は、スタック７０２（２）に類似する。その上、全ての要素を図６乃至７の各々で指し示しているわけではない。この実施において、各スタックは、単一の時限リンク要素７０６を含む。他の実施は、多数の直列に配置される時限リンク要素を含むスタックを利用してよい。
【００２６】
図６乃至７の例示の構成において、スタック７０２（１）、７０２（３）、及び７０２（５）に関して、第２の部分要素７０８の末端７１０は、時限リンク要素７０６と係合するよう歯車が付けられていない。対照的に、スタック７０２（２）及び７０２（４）に関して、末端７１０は、時限リンク要素７０６と係合するよう歯車が付けられている。スタック７０２（１）、７０２（３）、及び７０２（５）に関して、第１の部分要素７０４の末端７１２は、時限リンク要素７０６と係合するよう歯車が付けられている。対照的に、スタック７０２（２）及び７０２（４）に関して、末端７１２は、時限リンク要素７０６と係合するよう歯車が付けられていない。
【００２７】
時限リンク要素７０６は、概ね対向する第１の端７１４及び第２の端７１６と、第１の端７１４を通じて形成される第１の穴７１８及び第２の端７１６を通じて形成される第２の穴７２０とを有し得る。支持線が主要図面を曖昧にするのを回避するために、これらの要素は図７に関するコールアウト７２２(callout)中に特殊性を伴わずに印されている。例示の構成において、個々の時限リンク要素は両端で歯車が付けられていることに留意のこと。この構成はマルチピボットヒンジユニット３０２がより少ない異なる種類の要素で構成されるのを可能にし得る。しかしながら、時限リンク要素７０６（１）の第１の端７１４は第２の部分要素７０８（１）の末端７１０（１）と係合せず、よって、歯車の歯は利用されず、よって、省かれ得ることに留意のこと。同様に、時限リンク要素７０６（２）の第２の端７１６も、歯車の歯を省き得る。何故ならば、それらは第１の部分要素７０４（２）の末端７１２（２）と係合しないからである。
【００２８】
マルチピボットヒンジユニット３０２は、第１のスタック７０２（１）の時限リンク要素７０６（１）の第２の穴７２０を通じて進む概ね細長い軸ピン７２４（１）を含んでよい。軸ピン７２４は、第２のスタック７０２（２）の時限リンク要素７０６（２）の第１の穴７１８も通じて進み、第１のスタック７０２（１）に対してオフセットさせられた方法において第２のスタックを固定し得る。この場合、オフセットさせられた方法は、時限リンク要素のピッチ直径によって定められ得る。
【００２９】
マルチピボットヒンジユニット３０２は、第１の軸ピン７２４（１）と概ね平行な第２の軸ピン７２４（２）及び第３の軸ピン７２４（３）を含んでよい。第２の軸ピン７２４（２）は、第２のスタック７０２（２）の第２の部分要素７０８（２）にある穴７２６及び第１のスタック７０２（１）の時限リンク要素７０６（１）の第１の端にある穴７１８を通じて進み得る。第３の軸ピン７２４（３）は、第２のスタック７０２（２）の時限リンク要素７０６（２）の第２の端７１６にある穴７２０及び第１のスタック７０２（１）の第１の部分要素７０４（１）にある穴７２８を通じて進み得る。
【００３０】
本構成において、第２の軸ピン７２４（２）及び第３の軸ピン７２４（３）は、（第１の）軸ピン７２４（１）の両側にある。この構成は、第２の軸ピン７２４（２）に対して近位にあり且つ軸ピン７２４（１）に対して遠位である第４の軸ピン７２４（４）及び第３のアクセスピン７２４（３）に対して近位にあり且つ軸ピン７２４（１）に対して遠位にある第５の軸ピン７２４（５）を含んでよい。第４の軸ピン７２４（４）は、第２のスタック７０２（２）の第２の部分要素７０８（２）にある第２の穴７３０及び第１のスタック７０２（１）の第２の部分要素７０８（１）にある穴７３１を通じて進み得る。第５の軸ピン７２４（５）は、第２のスタック７０２（２）の第２の部分要素７０４（２）にある穴７３２及び第１のスタック７０２（１）の第１の部分要素７０４（１）の第２の穴７３４を通じて進み得る。
【００３１】
この実施において、軸ピン７２４は、ネジ山付きボルトとして顕現し得る。ボルトは、スタック７０２（１）乃至７０２（５）を通じてリンクカバー７３６（それらの全てが特殊性を伴って印されているわけではない）を通じて進み、そして、リンクカバー７３８の他のセット及びネジ山付きナットのセット７４０を通じて進み得る。図３乃至４に例示する実施では、リンクカバー７３８とネジ山付きナット７４０との間の軸ピンに回転リミッタを追加し得る。
【００３２】
本構成において、第２の軸ピン７２４（２）及び第４の軸ピン７２４（４）は、第１及び第５のスタックの各側で共通のリンクカバーを共用し、軸ピン７２４（１）及び第３の軸ピン７２４（３）は、第１及び第５のスタックの各側で共通のリンクカバーを共用する。ネジ山付きボルト、リンクカバー７３８、及びナット７４０は、スタックを互いに圧搾する圧縮力をもたらして、隣接する要素の間に摩擦を創り出すことがある。幾つかの実施では、ナット７４０とリンクカバー７３８との間のバネ座金の使用を通じて要素の間に軸荷重を適用して、スタックの間の所望の摩擦を創り出し且つ維持し得る。バネ座金は、要素が摩耗するとしても、軸荷重を維持するのに役立ち得る。ある時点で、バネ座金が荷重を維持し得ないならば、ボルト／ナットを締め付けて摩擦を増大させることによって、これらの実施を容易に調節し得る。
【００３３】
例示の構成は、軸方向摩擦を利用してヒンジ剛性(hinge  stiffness)を制御するものとして見られてよい。他の種類の軸摩擦構成を利用し得る。代替的な構成は、（穴に対して）過大な軸ピン７２４を利用し得る。過大な軸ピンをスタック７０２にある穴を通じて圧力嵌め(force  fit)して、軸ピンと穴を定める要素との間の摩擦嵌め(friction  fit)を創り出し得る。この構成は径方向摩擦を利用してヒンジ剛性を制御するものとして見られてよく、他の構成が想定される。
【００３４】
この構成では、第１のスタック７０２（１）に関して、時限リンク要素７０６（１）の第１の端７１４は、第２の部分要素７０８（１）と係合しない。第２の端７１６は、滑りのない１対１の回転係合において第１の部分要素７０４（１）と係合し得る。第２のスタック７０２（２）に関して、時限リンク要素７０６（２）の第１の端７１４は、滑りのない１対１の回転係合において第２の部分要素７０８（２）と係合することができ、第２の端７１６は、第１の部分要素７０４（２）と係合しない。この場合、滑りのない１対１の回転係合は、マルチピボットヒンジユニット３０２を軸ピン７２４（１）、７２４（２）、及び７２４（３）の周りで同時に回転させる、噛み合い歯車によって達成される。他の実施は他の歯車プロファイル及び／又は他の種類の歯車を利用し得るし、且つ／或いは滑らかであるが高摩擦の径方向表面のような非歯車解決策を利用し得る。１つの視点から特徴付けられるとき、図６乃至７に例示するマルチピボットヒンジ実施は、３つの軸（例えば、軸ピン７２４（１）、７２４（２）、及び７２４（３））の周りを同時に旋回し得る。他の実施のために他の数の軸ピンが想定される。更に、ヒンジユニットが閉塞位置においてさえも曲率半径を維持し得る（ヒンジユニットが開放されると半径が拡張し得る）点において、マルチピボットヒンジユニット３０２は、ラジアスヒンジ(radius  hinge)と考えられ得る。一層更には、歯車が旋回軸の周りの動きを制御する点において、マルチピボットヒンジユニットのこの実施は、制御されたラジアスヒンジと考えられ得る。他の制御された並びに制御されないマルチピボットヒンジ実施をアルマジロヒンジカバー着想と共に利用し得る。
【００３５】
図８乃至１２は、コンピュータデバイス１００及びそのアルマジロヒンジアセンブリ１０６についての追加的な詳細を集合的に示している。図８は、コンピュータデバイス１００の部分を切り取って示して回転リミッタ４２８及びスタック７０２のような下に位置する要素を露出させている点を除き図２と類似する、コンピュータデバイス１００の図面を示している。図９乃至１２は、図８に示すようなコンピュータデバイス１００の断面を示している。
【００３６】
図９は、ピン４１８によって互いに回転可能に固定されたヒンジカバー部分３０６Ａを示している。第２の部分の凸面の末端４０８をヒンジカバー部分３０６Ａ（１）に固定するピン４１８（１）が具体的に示されている。ヒンジカバー部分３０６Ａ（１）をヒンジカバー部分３０６Ａ（２）に固定するピン４１８（２）が具体的に示されている。
【００３７】
図１０は、ヒンジカバー部分３０６Ａがスタック７０２のような下に位置するヒンジ要素の上をどのように浮動し得るかを示している。この実施例において、下に位置するヒンジ要素は、図６乃至７に関して上述したスタックの時限リンク要素７０６である。
【００３８】
図１１は、アルマジロヒンジアセンブリ１０６の回転リミッタ４２８を示している。（図１１において、回転リミッタは、図面の紙面の制約の故に、具体的に示されるというよりもむしろ概略的に示されている。）個々の回転リミッタ又は（一対の回転リミッタ）が、対応するヒンジ軸の回転を所定の回転角度αに制限し得る。
【００３９】
図１２は、ヒンジカバー部分３０６Ａにおいてピン穴１２０２をどのように製造し得るかを示している。この実施において、ヒンジカバー部分は、張力の下で互いに保持される。よって、ヒンジカバー部分の片側のみにあるピン穴で組立てを達成し得る。この構成は射出成形部品のための複雑なスライド又は機械加工される部品のための非実用的な構成の如何なる必要をも排除し得る。
【００４０】
図１３は、アルマジロヒンジアセンブリ１０６Ｂのヒンジカバー部分３０６Ｂが図１乃至１２に関して示すような曲線のプロファイルというよりもむしろ概ね線形のプロファイルを有するコンピュータデバイス１００に関する代替的な構成を示している。更に、上述のように、ヒンジカバー部分の数は、下に位置するヒンジ軸の数に対応しなくてもよい。例えば、例示の構成は、９つのヒンジカバー部分を有するが、３つ以上の下に位置するヒンジ軸を有し得る。
【００４１】
図１４は、図３の図面に類似する図面を示している。この場合、コンピュータデバイス１００Ｃは、アルマジロヒンジアセンブリ１０６Ｃによって回転可能に固定された第１の部分１０２Ｃ及び第２の部分１０４Ｃを含む。この実施例において、アルマジロヒンジアセンブリ１０６Ｃは、最終使用者が第１の部分１０２Ｃ及び第２の部分１０４の一方又は両方を矢印１４０２によって示すようにアルマジロヒンジアセンブリ１０６Ｃから容易に取り外すのを可能にするように構成される。この実施例において、アルマジロヒンジアセンブリ１０６Ｃは、迅速取付け／取外しアセンブリ１４０４を含み得る。迅速取付け／取外しアセンブリ１４０４は、第１の部分１０２Ｃ及びアルマジロヒンジアセンブリ１０６Ｃにそれぞれ配置される協働的に作動する要素１４０６及び１４０８を含んでよい。
【００４２】
１つの実施例において、要素１４０６は、ラッチとして顕現し得るし、要素１４０８は、受け(receiver)として顕現し得る。ラッチは受けと係合して、第１の部分１０２Ｃをアルマジロヒンジアセンブリ１０６Ｃと取り外し可能に連結し得る。他の実施例において、要素１４０６及び１４０８は、使用者が第１の部分をアルマジロヒンジアセンブリから分離することによって克服され得るような方法において互いに磁気的に連結されてよい。他の迅速取付け／取外しアセンブリ１４０４が想定される。アルマジロヒンジアセンブリ１０６Ｃを第１及び／又は第２の部分に機械的に連結することに代えて或いは加えて、迅速取付け／取外しアセンブリ１４０４は、第１及び第２の部分の電子コンポーネントを取り外し可能に電気的に結合し得ることに更に留意のこと。例えば、迅速取付け／取外しアセンブリ１４０４は、プロセッサ３１４、第１の部分１０２Ｃからの記憶装置／メモリ３１６、及び／又はバッテリ３１８を、第２の部分１０４Ｃ内のビデオプロセッサに電気的に結合してよい。
【００４３】
よって、迅速取付け／取外しアセンブリ１４０４は、いずれかの部分を他から独立して用いるよう、使用者が第１の部分１０２Ｃ又は第２の部分１０４Ｃを取り外し得ることを可能にする。例えば、第１の部分１０２Ｃをスタンドアローン（独立型）のタブレットデバイスとして作動させてよく、次に、アルマジロヒンジアセンブリ１０６Ｃを介して第２の部分１０４Ｃに取り付けて、ラップトップデバイスとより類似のデバイスを形成してよい。使用者は、アプリケーション特異なデバイスのために、第１の部分１０２Ｃ又は第２の部分１０４Ｃを交換し得てもよい。例えば、個々の第２の部分が、キーボード及び／又はタッチスクリーンを含んでよい。特定のシナリオにおいて、使用者は、第１のタッチスクリーンを第１の部分として取り付け、第２のタッチスクリーンを第２の部分として取り付け、デバイスを本のように利用してよい。他のシナリオでは、使用者が、タッチスクリーンを第１の部分として取り付け、キーボードとトラックパッドとを含む入力デバイスを第２の部分として取り付け、デバイスをラップトップのように利用してよい。他の構成及び実施が想定される。
【００４４】
ヒンジカバー部分及び／又はマルチピボットヒンジユニットの個々の要素を、とりわけ、板金、ダイカスト金属、及び／又は成形プラスチックのような様々な材料、或いはこれらの材料の任意の組み合わせから作製し得る。
【００４５】
アルマジロヒンジアセンブリを、非限定的に、ノートブックコンピュータ、スマートホン、ウェアラブルスマートデバイス、並びに／或いは他の種類の既存の、開発中の、及び／又は将来開発されるコンピュータデバイスのような、任意の種類のコンピュータデバイスと共に利用し得る。
【００４６】
（例示的な方法）
アルマジロヒンジアセンブリについての製造、組立て、及び使用の様々な方法が、図１乃至１４に関して上で示したものを超えて想定される。
【００４７】
（追加的な実施態様）
様々な実施例を上述した。追加的な実施例を以下に記載する。１つの実施例は、ディスプレイスクリーンを含む第１の部分と入力デバイスを含む第２の部分とを有するデバイスとして顕現する。実施例は、第１の部分及び第２の部分を回転可能に固定し、第１の部分と第２の部分との間の回転をもたらすよう多数のヒンジ軸の周りで回転するように構成される、マルチピボットヒンジユニットも含み得る。その実施例は、第１の部分と第２の部分との間でマルチピボットヒンジユニットを集合的に覆う多数のヒンジカバー部分を更に含み得る。個々のヒンジカバー部分が、対応する個々のヒンジ軸と平行な回転軸の周りで回転し得る。
【００４８】
個々のヒンジカバー部分の回転軸は、対応する個々のヒンジ軸と同一の広がりを持つ、上の及び／又は下の実施例の任意の組み合わせ。
【００４９】
マルチピボットヒンジユニットは、第２の部分に対する第１の部分の回転の程度を制限する回転リミッタを更に含む、上の及び／又は下の実施例の任意の組み合わせ。
【００５０】
回転リミッタは、多数の回転リミッタを含み、個々の回転リミッタは、個々のヒンジ軸と関連付けられる、上の及び／又は下の実施例の任意の組み合わせ。
【００５１】
多数の回転リミッタは、マルチピボットヒンジユニットに固定される、上の及び／又は下の実施例の任意の組み合わせ。
【００５２】
多数のヒンジカバー部分は、多数の回転リミッタとして機能する、上の及び／又は下の実施例の任意の組み合わせ。
【００５３】
マルチピボットヒンジユニットは、第１のマルチピボットヒンジユニット及び第２のマルチピボットヒンジユニットを含み、多数のヒンジカバー部分は、第１及び第２の平行なスロットを含み、それぞれのマルチピボットヒンジユニットは、前記スロットを通じて延びる、上の及び／又は下の実施例の任意の組み合わせ。
【００５４】
多数のヒンジカバー部分は、互いに締結されるが、マルチピボットヒンジユニットに締結されない、上の及び／又は下の実施例の任意の組み合わせ。
【００５５】
多数のヒンジカバー部分は、互いに旋回可能に締結される、上の及び／又は下の実施例の任意の組み合わせ。
【００５６】
多数のヒンジカバー部分は、第１の部分又は第２の部分の一方に締結される、或いは、多数のヒンジカバー部分は、第１の部分及び第２の部分の両方に締結される、上の及び／又は下の実施例の任意の組み合わせ。
【００５７】
多数のヒンジカバー部分は、マルチピボットヒンジユニットの下に位置する部分が晒されないよう、回転中に第１の個々のヒンジカバー部分の第１の領域が第２の隣接する個々のヒンジカバー部分の第２の領域を越えて滑動し得るように、関節作動させられる、上の及び／又は下の実施例の任意の組み合わせ。
【００５８】
第１の領域は、第１の個々のヒンジカバー部分の凸面の領域を含み、第２の領域は、第２の隣接する個々のヒンジカバー部分の凹面の領域を含む、上の及び／又は下の実施例の任意の組み合わせ。
【００５９】
マルチピボットヒンジユニットは、ラジアスヒンジユニットを含む、上の及び／又は下の実施例の任意の組み合わせ。
【００６０】
個々のヒンジカバー部分は、シリンダの部分に近似する、上の及び／又は下の実施例の任意の組み合わせ。
【００６１】
他の実施例は、第１の部分及び第２の部分として顕現する。その実施例は、第１及び第２の部分を回転可能に固定するマルチピボットヒンジユニットを含み得る。その実施例は、マルチピボットヒンジユニットを集合的に覆いながら、互いに対して回転し得るように構成される、剛的なヒンジカバー部分のセットを更に含み得る。
【００６２】
剛的なヒンジカバー部分のセット中の多数の剛的なヒンジカバー部分は、マルチピボットヒンジユニット内の多数の回転軸と等しい、上の及び／又は下の実施例の任意の組み合わせ。
【００６３】
剛的なヒンジカバー部分のセット中の多数の剛的なヒンジカバー部分は、マルチピボットヒンジユニット中の多数の回転軸よりも大きい、上の及び／又は下の実施例の任意の組み合わせ。
【００６４】
他の実施例が、第１の部分及び第２の部分として顕現する。その実施例は、第１及び第２の部分を回転可能に固定するアルマジロヒンジアセンブリを含み得る。
【００６５】
アルマジロヒンジアセンブリは、重なり合う関節作動する剛的なヒンジカバーで覆われたマルチピボットヒンジユニットを含む、上の及び／又は下の実施例の任意の組み合わせ。
【００６６】
個々のヒンジカバー部分は、長軸に沿って延びる、上の及び／又は下の実施例の任意の組み合わせ。
【００６７】
個々のヒンジカバーは、シリンダの部分に近似し、凹面の領域及び凸面の領域を含み、重なり合うことは、個々のヒンジカバーの凹面の領域と隣接する個々のヒンジカバーの凸面の領域との間で達成される、上の及び／又は下の実施例の任意の組み合わせ。
【００６８】
アルマジロヒンジアセンブリは、第１の部分及び第２の部分の一方又は両方に迅速に付着し且つ第１の部分及び第２の部分の一方又は両方から迅速に取り外されるように構成される、上の及び／又は下の実施例の任意の組み合わせ。
【００６９】
（結論）
アルマジロヒンジアセンブリに関する技術、方法、デバイス、システム等は、構造的構成及び方法論的行為に特異な言語において記載されるが、付属の請求項に定められる主題は、記載される特定の構成又は行為に必ずしも限定されないことが理解されるべきである。むしろ、特定の構成及び行為は、請求する方法、デバイス、システム等を実施する例示的な形態として開示されている。
【図１】
0006637043.tif 000002
【図２】
0006637043.tif 000003
【図３】
0006637043.tif 000004
【図４】
0006637043.tif 000005
【図５】
0006637043.tif 000006
【図６】
0006637043.tif 000007
【図７】
0006637043.tif 000008
【図８】
0006637043.tif 000009
【図９】
0006637043.tif 000010
【図１０】
0006637043.tif 000011
【図１１】
0006637043.tif 000012
【図１２】
0006637043.tif 000013
【図１３】
0006637043.tif 000014
【図１４】
0006637043.tif 000015